(57)【特許請求の範囲】
【請求項１】
集合住宅の各住戸に取り付けられた各端末装置を、ネットワークを介して警報監視装置で集中監視するため、各端末装置の取り付け前に、各端末装置と各端末装置が取り付けられる各住戸との対応付けを警報監視装置に登録する集合住宅用ホーム・オートメーションの端末登録方法であって、
集合住宅の共用玄関には、カメラ付きロビー端末が配置され、カメラ付きロビー端末は、ネットワークを介して警報監視装置と通信可能であり、来訪者を撮影するカメラおよび各住戸の住戸人を呼び出すための入力手段を有し、各端末装置には、識別コードが付されており、
カメラ付きロビー端末のカメラが端末装置の識別コードを撮影するステップと、
識別コードの画像が識別コード読み取り手段により識別コード値として読み取られるステップと、
カメラ付きロビー端末の入力手段によりその端末装置が取り付けられる住戸の識別番号が入力されるステップと、
識別コード値と識別番号とが対応付けられて警報監視装置の対応付け記憶手段に格納されるステップと、
を備えることで各端末装置と各端末装置が取り付けられる各住戸との対応付けを警報監視装置に登録するようにしたことを特徴とする集合住宅用ホーム・オートメーションの端末登録方法。
【請求項２】
識別コードが画像コードで構成されており、識別コード読み取り手段が画像コードを識別コード値に変換する識別コードデコード手段により構成されていることを特徴とする請求項１に記載の集合住宅用ホーム・オートメーションの端末登録方法。
【請求項３】
カメラ付きロビー端末の入力手段がテンキーで構成されていることを特徴とする請求項１または２に記載の集合住宅用ホーム・オートメーションの端末登録方法。
【発明の詳細な説明】
【技術分野】
【０００１】
本発明は、集合住宅の各住戸に取り付けられた各端末装置を、ネットワークを介して警報監視装置で集中監視するため、各端末装置の取り付け前に、各端末装置と各端末装置が取り付けられる各住戸との対応付けを警報監視装置に登録する集合住宅用ホーム・オートメーション（ＨＡ）の端末登録方法に関する。
【背景技術】
【０００２】
集合住宅用ＨＡの施工段階では、集合住宅の各住戸に取り付けられる各端末装置の識別コードと各住戸の識別番号との対応付けを一度に警報監視装置に登録する作業がある。
【０００３】
従来、上記の作業は、登録作業者が各住戸に取り付けられる各端末装置の識別コードを警報監視装置に手入力することにより行われていた（例えば、特許文献１参照）。
【０００４】
また、警報監視装置は、値を入力することができる手段としては、通常テンキー程度しか備えていないため、入力することができる値は、数字に限られてしまうことが多い。
【特許文献１】特開２００３−２８１６６３号公報
【発明の開示】
【発明が解決しようとする課題】
【０００５】
しかし、集合住宅は、住戸数が通常数十〜数百あり、登録作業者が上記の作業をすべて手入力で行うと、登録に間違いを生じさせやすいという問題がある。
【０００６】
また、上述したように、入力する値が数字に限られることが多いため、英字等を使用することができず、端末装置が本来有する英数字からなる品番、製造番号や記号も使用されることがあるネットワークアドレス（ＭＡＣアドレス）を識別コードに使用することができないことが多い。そのため、端末装置にあらためて数字からなる識別コードを割り当てる必要が生じやすいという問題がある。
【０００７】
本発明は、上記問題に鑑みてなしたものであり、登録作業者が各端末装置の識別コードと各住戸の識別番号との対応付けを、容易に、かつ間違いを生じさせずに警報監視装置に登録することができる集合住宅用ＨＡの端末登録方法を提供することを目的とする。
【０００８】
また、本発明は、従来識別コードとして使用することが困難であった品番、製造番号やネットワークアドレスをそのまま識別コードとして使用することができる集合住宅用ＨＡの端末登録方法を提供することを目的とする。
【課題を解決するための手段】
【０００９】
上記課題を解決するために、請求項１に記載の集合住宅用ＨＡの端末登録方法は、集合住宅の各住戸に取り付けられた各端末装置を、ネットワークを介して警報監視装置で集中監視するため、各端末装置の取り付け前に、各端末装置と各端末装置が取り付けられる各住戸との対応付けを警報監視装置に登録する集合住宅用ＨＡの端末登録方法であって、集合住宅の共用玄関には、カメラ付きロビー端末が配置され、カメラ付きロビー端末は、ネットワークを介して警報監視装置と通信可能であり、来訪者を撮影するカメラおよび各住戸の住戸人を呼び出すための入力手段を有し、各端末装置には、識別コードが付されており、カメラ付きロビー端末のカメラが端末装置の識別コードを撮影するステップと、識別コードの画像が識別コード読み取り手段により識別コード値として読み取られるステップと、カメラ付きロビー端末の入力手段によりその端末装置が取り付けられる住戸の識別番号が入力されるステップと、識別コード値と識別番号とが対応付けられて警報監視装置の対応付け記憶手段に格納されるステップと、を備えることで各端末装置と各端末装置が取り付けられる各住戸との対応付けを警報監視装置に登録するようにしたことを特徴とする。
【００１０】
請求項２に記載の発明は、上記請求項１に記載の集合住宅用ＨＡの端末登録方法において、識別コードが画像コードで構成されており、識別コード読み取り手段が画像コードを識別コード値に変換する識別コードデコード手段により構成されていることを特徴とする。
【００１１】
請求項３に記載の発明は、上記請求項１または２に記載の集合住宅用ＨＡの端末登録方法において、カメラ付きロビー端末の入力手段がテンキーで構成されていることを特徴とする。
【発明の効果】
【００１２】
請求項１および２に記載の発明によれば、登録作業者が各端末装置の識別コードと各住戸の識別番号との対応付けを、容易に、かつ間違いを生じさせずに警報監視装置に登録することができるとともに、登録の手段に、集合住宅の共用玄関に配置され、各住戸の住戸人を呼び出すためのカメラ付きロビー端末を兼用するため、別途登録用の端末を必要とせず、登録の手段を容易に構成することができる。
【００１３】
また、識別コードにほとんどの英数字や記号を使用することができるので、従来識別コードとして使用することが困難であった品番、製造番号やネットワークアドレスをそのまま識別コードとして使用することができる。これらは、端末装置の製造時に決定され、出荷時点であらかじめ準備されているものであるので、別の識別コード体系を作成する必要がなくなる。
【００１４】
請求項３に記載の発明によれば、登録用の入力手段にカメラ付きロビー端末に設けられているテンキーを兼用するため、別途登録用の入力手段を必要とせず、登録の手段を容易に構成することができる。
【発明を実施するための最良の形態】
【００１５】
以下、図面を参照しながら本発明の実施の形態について説明する。以下の説明では具体例を挙げて本発明を説明する場合があるが、本発明は以下の具体例に限定されない。
【００１６】
図１に、実施形態に係る集合住宅用ＨＡシステムを示す。
【００１７】
図１に示すように、集合住宅１は、住戸２ａ〜２ｃと、各住戸２ａ〜２ｃにそれぞれ取り付けられる端末装置３ａ〜３ｃと、ネットワークを介して集合住宅１の各住戸２ａ〜２ｃに取り付けられた各端末装置３ａ〜３ｃを集中監視する警報監視装置４と、集合住宅１の共用玄関に配置されネットワークを介して警報監視装置４と通信可能なカメラ付きロビー端末５と、を基本構成とする。
【００１８】
住戸２ａ〜２ｃは、集合住宅１を構成し、それぞれ自身を特定するための識別番号２０ａ〜２０ｃを有する。識別番号２０ａ〜２０ｃは、各住戸２ａ〜２ｃを表す番号であり、３〜４桁の部屋番号として表される。
【００１９】
また、端末装置３ａ〜３ｃは、各端末装置３ａ〜３ｃに対応した識別コード３０ａ〜３０ｃを有し、各住戸２ａ〜２ｃに取り付けられる。ここで、識別コード３０ａ〜３０ｃは、画像コードであり、バーコードやＱＲコード（登録商標）で構成され、各端末装置３ａ〜３ｃに付されている。
【００２０】
そして、警報監視装置４は、集合住宅用ＨＡシステムにおいて、主に、各住戸２ａ〜２ｃに取り付けられた各端末装置３ａ〜３ｃとネットワークを介して情報交換を行うことで、どの住戸２ａ〜２ｃでどのような異常が発生したかを監視する装置である。すなわち、警報監視装置４は、ネットワークを介して集合住宅１の各住戸２ａ〜２ｃに取り付けられた各端末装置３ａ〜３ｃを集中監視する。
【００２１】
また、カメラ付きロビー端末５は、集合住宅１の共用玄関に配置されており、来訪者を撮影するためのカメラおよび来訪者が所望の住戸の住戸人を呼び出すために当該住戸の部屋番号（識別番号２０ａ〜２０ｃ）を入力するための入力手段６が設けられている。入力手段６としては、カメラ付きロビー端末５に設けられているテンキーが使用される。
【００２２】
ところで、警報監視装置４が集合住宅１の各住戸２ａ〜２ｃに取り付けられた各端末装置３ａ〜３ｃを集中監視するためには、警報監視装置４に、あらかじめ、各端末装置３ａ〜３ｃと各端末装置３ａ〜３ｃとの対応付けを登録する必要がある。当該登録は、カメラ付きロビー端末５にて行う。
【００２３】
以下、図２に示すフローチャートを用いて、集合住宅用ＨＡにおける各端末装置３ａ〜３ｃの識別コード３０ａ〜３０ｃと各住戸２ａ〜２ｃの識別番号２０ａ〜２０ｃとの対応付けを警報監視装置４へ登録する方法について詳述する。
【００２４】
まず、登録作業者は、住戸２ａに取り付けられる端末装置３ａを持ち、端末装置３ａの識別コード３０ａをカメラ付きロビー端末５のカメラにかざし、カメラが識別コード３０ａを撮影する（Ｓ１０１）。
【００２５】
そうすると、カメラにより撮影された識別コード３０ａの画像がカメラ付きロビー端末５の識別コード読み取り手段である識別コードデコード手段７により識別コード値に変換される（Ｓ１０２）。
【００２６】
次に、登録作業者は、カメラ付きロビー端末５の入力手段６により住戸２ａを表す部屋番号（識別番号２０ａ）を入力する（Ｓ１０３）。
【００２７】
入力された識別番号２０ａは、そのまま警報監視装置４に読み出され、入力が完了した時点で、警報監視装置４により番号が確定される（Ｓ１０４）。
【００２８】
そして、警報監視装置４は、識別番号２０ａが確定された時点での上記Ｓ１０２で得られた識別コード値を読み出す（Ｓ１０５）。
【００２９】
最後に、警報監視装置４は、連続して読み出した住戸２ａの識別番号２０ａと端末装置３ａの識別コード３０ａの識別コード値が対応付いたものと判断し、読み出した住戸２ａの識別番号２０ａと端末装置３ａの識別コード３０ａの識別コード値とを対応付けて、対応付け記憶手段８に格納する（Ｓ１０６）。
【００３０】
以上のフローにより、端末装置３ａの識別コード３０ａと住戸２ａの識別番号２０ａとが対応付けられて警報監視装置４へ登録される。ここで、例えば、カメラ付きロビー端末５の呼出ボタンを登録確定用のボタンに兼用してもよい。
【００３１】
なお、Ｓ１０１とＳ１０３の順序は問わない。また、Ｓ１０４とＳ１０５とは、並行処理されてもよい。しかして、図３に示すようなフローで、端末装置３ａの識別コード３０ａと住戸２ａの識別番号２０ａとが対応付けられて警報監視装置４へ登録されることもできる。
【００３２】
そして、本実施形態では、識別コードデコード手段７がカメラ付きロビー端末５に設けられ、対応付け記憶手段８が警報監視装置４に設けられている構成について説明したが、識別コードデコード手段７および対応付け記憶手段８は、その目的を達成することができる限り、集合住宅用ＨＡシステムのどこに設けられていてもよい。
【００３３】
残りの端末装置３ｂ、３ｃの識別コード３０ｂ、３０ｃと住戸２ｂ、２ｃの識別番号２０ｂ、２０ｃとの対応付けについても上記と同様の方法で警報監視装置４へ登録する。
【００３４】
そして、各端末装置３ａ〜３ｃを各住戸２ａ〜２ｃに取り付ける。
【００３５】
したがって、登録作業者が各端末装置３ａ〜３ｃの識別コード３０ａ〜３０ｃと各住戸２ａ〜２ｃの識別番号２０ａ〜２０ｃとの対応付けを、容易に、かつ間違いを生じさせずに警報監視装置４に登録することができるとともに、登録の手段に、集合住宅１の共用玄関に配置され、各住戸２ａ〜２ｃの住戸人を呼び出すためのカメラ付きロビー端末５を兼用するため、別途登録用の端末を必要とせず、登録の手段を容易に構成することができる。
【００３６】
また、識別コード３０ａ〜３０ｃにほとんどの英数字や記号を使用することができるので、従来識別コードとして使用することが困難であった品番、製造番号やネットワークアドレスをそのまま識別コードとして使用することができる。これらは、端末装置３ａ〜３ｃの製造時に決定され、出荷時点であらかじめ準備されているものであるので、別の識別コード体系を作成する必要がなくなる。
【００３７】
さらに、登録用の入力手段６にカメラ付きロビー端末５に設けられているテンキーを兼用するため、別途登録用の入力手段を必要とせず、登録の手段を容易に構成することができる。
【図面の簡単な説明】
【００３８】
【図１】実施形態に係る集合住宅用ＨＡシステムを示す図である。
【図２】集合住宅用ＨＡの端末登録方法を示すフローチャートの一例である。
【図３】集合住宅用ＨＡの端末登録方法を示すフローチャートの変形例である。
【符号の説明】
【００３９】
１                      集合住宅
２ａ，２ｂ，２ｃ        住戸
３ａ，３ｂ，３ｃ        端末装置
４                      警報監視装置
５                      カメラ付きロビー端末
６                      入力手段
７                      識別コードデコード手段
８                      対応付け記憶手段
２０ａ，２０ｂ，２０ｃ  識別番号
３０ａ，３０ｂ，３０ｃ  識別コード
【図１】
0004811362.tif 000002
【図２】
0004811362.tif 000003
【図３】
0004811362.tif 000004